(57)【要約】【課題】  屋外から供給される温水を手軽に利用できる除湿システムを提供すること。【解決手段】  除湿装置１１は、除湿風路４１と再生風路４２の二つの風路で構成されている。除湿風路４１は、室内の空気を吸気して除湿ロータを通過する際に除湿し、再び室内に吹き出す。再生風路４２は、室内の空気を温水熱交換器５０で加熱して除湿ロータ４７を通過させることによって、除湿ロータ４７に吸着した湿気を蒸発させて、排湿口４６に接続された排気用ホース５３を通って温水コンセント１５に設けた排気口３４から空気とともに湿気が屋外へ排気される。また、温水コンセント１５には屋外から除湿装置１１に温水を供給・回収するための分岐往き配管２４ｂ及び分岐戻り配管２５ｂが接続されており、温水往き口３２及び温水戻り口３３に温水用ホース５５を接続して温水熱交換器５０に温水が供給される。【選択図】      図３
2007054765.tif 000002
【特許請求の範囲】
【請求項１】
湯水を循環させる循環経路と、
前記循環経路内の湯水を加熱する加熱手段と、
温水供給経路を介して前記循環経路に接続された温水往き口、温水回収経路を介して前記循環経路に接続された温水戻り口、及び屋外に連通した排気口を備え、室内に設置される温水コンセントと、
室内の空気に含まれる湿気を吸着して除湿する除湿部材、及び温水を通過させてその熱により前記除湿部材に吸着された湿気を放出させるための再生用熱交換器を有する除湿装置と、を備え、
前記温水コンセントの温水往き口と前記除湿装置の前記再生用熱交換器の温水流入側とを結んで循環経路内の温水を前記再生用熱交換器に供給するための第１の接続ホースを前記温水往き口に着脱自在に接続可能にし、
前記温水コンセントの温水戻り口と前記除湿装置の前記再生用熱交換器の温水流出側とを結んで前記再生用熱交換器を通過した温水を循環経路内に返すための第２の接続ホースを前記温水戻り口に着脱自在に接続可能にし、
前記除湿部材から放出された湿気を含んだ空気を屋外へ排出させる排気用ホースを前記温水コンセントの排気口に着脱自在に接続可能にしたことを特徴とする除湿システム。
【請求項２】
湯水を循環させる循環経路と、
前記循環経路内の湯水を加熱する加熱手段と、
温水供給経路を介して前記循環経路に接続された温水往き口、温水回収経路を介して前記循環経路に接続された温水戻り口、屋外に連通した排気口及び吸気口を備え、室内に設置される温水コンセントと、
室内の空気に含まれる湿気を吸着して除湿する除湿部材、及び温水を通過させてその熱により前記除湿部材に吸着された湿気を放出させるための再生用熱交換器を有する除湿装置と、を備え、
前記温水コンセントの温水往き口と前記除湿装置の前記再生用熱交換器の温水流入側とを結んで循環経路内の温水を前記再生用熱交換器に供給するための第１の接続ホースを前記温水往き口に着脱自在に接続可能にし、
前記温水コンセントの温水戻り口と前記除湿装置の前記再生用熱交換器の温水流出側とを結んで前記再生用熱交換器を通過した温水を循環経路内に返すための第２の接続ホースを前記温水戻り口に着脱自在に接続可能にし、
前記除湿部材を再生させるための空気を屋外から吸気する吸気用ホースを前記温水コンセントの吸気口に着脱自在に接続可能にし、
前記除湿部材から放出された湿気を含んだ空気を屋外へ排出させる排気用ホースを前記温水コンセントの排気口に着脱自在に接続可能にしたことを特徴とする除湿システム。
【請求項３】
湯水を循環させる循環経路と、
前記循環経路内の湯水を加熱する加熱手段と、
温水供給経路を介して前記循環経路に接続された温水往き口、及び温水回収経路を介して前記循環経路に接続された温水戻り口を備え、室内に設置される温水コンセントと、
室内の空気に含まれる湿気を吸着して除湿する除湿部材、温水を通過させてその熱により前記除湿部材に吸着された湿気を放出させるための再生用熱交換器を有する除湿装置、前記除湿部材から放出された湿気を含んだ空気を冷却する冷却手段、及び前記冷却手段により発生する凝縮水を貯める貯水部と、を備え、
前記温水コンセントの温水往き口と前記除湿装置の前記再生用熱交換器の温水流入側とを結んで循環経路内の温水を前記再生用熱交換器に供給するための第１の接続ホースを前記温水往き口に着脱自在に接続可能にし、
前記温水コンセントの温水戻り口と前記除湿装置の前記再生用熱交換器の温水流出側とを結んで前記再生用熱交換器を通過した温水を循環経路内に返すための第２の接続ホースを前記温水戻り口に着脱自在に接続可能にし、
前記除湿装置内を空気が循環するようにし、循環空気は前記再生用熱交換器を通過して加熱した後、前記除湿部材を通過させて吸着した湿気を蒸発させ、前記冷却手段で冷却されて凝縮水を発生し、前記貯水部に貯められることを特徴とする除湿システム。
【請求項４】
前記冷却手段は、前記除湿装置に取り込まれる室内の空気と前記除湿装置内を循環する空気の間で熱交換することを特徴とする、請求項３に記載の除湿システム。
【請求項５】
前記貯水部が取り外し自在に構成されていることを特徴とする請求項３〜４の何れかに記載の除湿システム。
【請求項６】
前記温水供給経路及び前記温水回収経路にそれぞれ温水分配機を設け、前記温水供給経路に設けた前記温水分配機によって、前記循環経路から１又は２以上の部屋にそれぞれ設置された前記各温水コンセントに温水を分配して供給し、前記各温水コンセントから前記循環経路に戻る温水を前記温水回収経路に設けた前記温水分配機で合流させるようにしたことを特徴とする、請求項１〜５のいずれかに記載の除湿システム。
【発明の詳細な説明】
【技術分野】
【０００１】
本発明は、除湿システムに関し、特に温水を利用して除湿装置の再生を行うことができる簡便な除湿システムに関する。
【背景技術】
【０００２】
室内に設置した温水暖房装置などへの温水の供給方法として、特許文献１（特開２００１−２０１０６４号公報）で提案されているような温水コンセントの利用が考えられる。つまり、屋外に設置した給湯システムと接続された温水コンセントを室内に設け、温水コンセントと温水暖房装置を配管（ホース）などで接続することにより、温水暖房装置への温水の供給をおこなうものである。このような温水コンセントは、特許文献２（特開２００４−５３１３５号公報）で提案されているようなコージェネレーション・システムで得られる熱により加熱した温水を利用する床暖房装置及び水素吸蔵金属を利用した冷房装置などへの利用が考えられる。
【０００３】
しかしながら、特許文献１で提案されているような従来の温水コンセントは、温水用のコンセントしか有しておらず、除湿装置のように屋外と室内で空気のやりとりを必要とする装置を取り付ける場合は、温水コンセントとは別に排気口（或いは吸気口）を別途設ける必要があり、外観が良くないなどの問題があった。また、排気口を設けない場合、湿気を屋外に排出できないといった問題がある。本願発明は、このような問題に対して、屋外から供給される温水を室内の除湿装置の再生に利用することのできる除湿システムを提案するものである。
【０００４】
【特許文献１】特開２００１−２０１０６４号公報
【特許文献２】特開２００４−５３１３５号公報
【発明の開示】
【発明が解決しようとする課題】
【０００５】
本発明は上記のような技術的課題に鑑みてなされたものであり、その目的とするところは、屋外から供給される温水を手軽に利用できる除湿システムを提供することにある。
【課題を解決するための手段】
【０００６】
本発明の除湿システムは、湯水を循環させる循環経路と、前記循環経路内の湯水を加熱する加熱手段と、温水供給経路を介して前記循環経路に接続された温水往き口、温水回収経路を介して前記循環経路に接続された温水戻り口、及び屋外に連通した排気口を備え、室内に設置される温水コンセントと、室内の空気に含まれる湿気を吸着して除湿する除湿部材、及び温水を通過させてその熱により前記除湿部材に吸着された湿気を放出させるための再生用熱交換器を有する除湿装置とを備え、前記温水コンセントの温水往き口と前記除湿装置の前記再生用熱交換器の温水流入側とを結んで循環経路内の温水を前記再生用熱交換器に供給するための第１の接続ホースを前記温水往き口に着脱自在に接続可能にし、前記温水コンセントの温水戻り口と前記除湿装置の前記再生用熱交換器の温水流出側とを結んで前記再生用熱交換器を通過した温水を循環経路内に返すための第２の接続ホースを前記温水戻り口に着脱自在に接続可能にし、前記除湿部材から放出された湿気を含んだ空気を屋外へ排出させる排気用ホースを前記温水コンセントの排気口に着脱自在に接続可能にしたことを特徴としている。
【０００７】
本発明の除湿システムによれば、温水コンセントには、循環経路から温水コンセントに接続した除湿装置に温水を供給するための温水往き口及び温水戻り口だけでなく、室内と屋外を接続した排気口をもうけているので、除湿装置で除湿した室内の湿気を室外に排気することができる。再生用熱交換器に温水を供給するための温水往き口及び温水戻り口と、除湿装置から屋外へ空気を排気するための配管を温水コンセントに設けているので、除湿装置の配管類を温水コンセントに集約することができ、見た目がよくなる。また、温水コンセントから配管類を容易に着脱できるので、装置を取り外して手軽に持ち運んだり収納したりすることができる。
【０００８】
本発明の別な除湿システムは、湯水を循環させる循環経路と、前記循環経路内の湯水を加熱する加熱手段と、温水供給経路を介して前記循環経路に接続された温水往き口、温水回収経路を介して前記循環経路に接続された温水戻り口、屋外に連通した排気口及び吸気口を備え、室内に設置される温水コンセントと、室内の空気に含まれる湿気を吸着して除湿する除湿部材、及び温水を通過させてその熱により前記除湿部材に吸着された湿気を放出させるための再生用熱交換器を有する除湿装置とを備え、前記温水コンセントの温水往き口と前記除湿装置の前記再生用熱交換器の温水流入側とを結んで循環経路内の温水を前記再生用熱交換器に供給するための第１の接続ホースを前記温水往き口に着脱自在に接続可能にし、前記温水コンセントの温水戻り口と前記除湿装置の前記再生用熱交換器の温水流出側とを結んで前記再生用熱交換器を通過した温水を循環経路内に返すための第２の接続ホースを前記温水戻り口に着脱自在に接続可能にし、前記除湿部材を再生させるための空気を屋外から吸気する吸気用ホースを前記温水コンセントの吸気口に着脱自在に接続可能にし、前記除湿部材から放出された湿気を含んだ空気を屋外へ排出させる排気用ホースを前記温水コンセントの排気口に着脱自在に接続可能にしたことを特徴としている。
【０００９】
本発明の別な除湿システムによれば、温水コンセントには、屋外から室内（除湿装置内）に吸気するための吸気口を設けているので、除湿ロータの再生に屋外の空気を利用する除湿装置であっても取り付けることができる。
【００１０】
本発明のさらに別な除湿システムは、湯水を循環させる循環経路と、前記循環経路内の湯水を加熱する加熱手段と、温水供給経路を介して前記循環経路に接続された温水往き口、及び温水回収経路を介して前記循環経路に接続された温水戻り口を備え、室内に設置される温水コンセントと、室内の空気に含まれる湿気を吸着して除湿する除湿部材、温水を通過させてその熱により前記除湿部材に吸着された湿気を放出させるための再生用熱交換器を有する除湿装置、前記除湿部材から放出された湿気を含んだ空気を冷却する冷却手段、及び前記冷却手段により発生する凝集水を貯める貯水部とを備え、前記温水コンセントの温水往き口と前記除湿装置の前記再生用熱交換器の温水流入側とを結んで循環経路内の温水を前記再生用熱交換器に供給するための第１の接続ホースを前記温水往き口に着脱自在に接続可能にし、前記温水コンセントの温水戻り口と前記除湿装置の前記再生用熱交換器の温水流出側とを結んで前記再生用熱交換器を通過した温水を循環経路内に返すための第２の接続ホースを前記温水戻り口に着脱自在に接続可能にし、前記除湿装置内を空気が循環するようにし、循環空気は前記再生用熱交換器を通過して加熱した後、前記除湿部材を通過させて吸着した湿気を蒸発させ、前記冷却手段で冷却されて凝集水を発生し、前記貯水部に貯められることを特徴としている。
【００１１】
本発明のさらに別な除湿システムによれば、除湿装置内で空気を循環させて、除湿ロータに吸着した湿気の蒸発（除湿ロータの再生）により湿気を含んだ空気を冷却手段で冷却して凝縮水として結露させて貯水部に貯めることができる。したがって、温水コンセントに屋外と室内で空気のやりとりを行うための排気口及び吸気口が設けられていないような温水コンセントであっても、取り付けて除湿をおこなうことができる。また、温水コンセントから配管類を容易に着脱できるので、装置を取り外して手軽に持ち運んだり収納したりすることができる。
【００１２】
本発明の除湿システムの実施態様は、前記冷却手段は、前記除湿装置に取り込まれる室内の空気と前記除湿装置内を循環する空気の間で熱交換することを特徴としている。
【００１３】
本発明の除湿システムの実施態様によれば、除湿装置に取り込む室内の空気と除湿装置内を循環させている除湿装置内の空気の間で熱交換することにより、除湿装置内の空気を冷却しているので、電気を利用した冷却装置を取り付けるよりも省電力化できる。また、電気を利用した冷却装置と比べて除湿装置内の構造が簡単になり、冷却に電力も消費しないので省電力化できる。
【００１４】
本発明の別な除湿システムの実施態様は、前記貯水部が取り外し自在に構成されていることを特徴としている。
【００１５】
本発明の除湿システムの別な実施態様によれば、貯水部を取り外して貯まった凝縮水を容易に捨てることができる。
【００１６】
本発明のさらに別な除湿システムの実施態様は、前記温水供給経路及び前記温水回収経路にそれぞれ温水分配機を設け、前記温水供給経路に設けた前記温水分配機によって、前記循環経路から１又は２以上の部屋にそれぞれ設置された前記各温水コンセントに温水を分配して供給し、前記各温水コンセントから前記循環経路に戻る温水を前記温水回収経路に設けた前記温水分配機で合流させるようにしたことを特徴としている。
【００１７】
本発明の除湿システムの別な実施態様によれば、温水分配機によって循環経路を流れる温水を各部屋に設置した温水コンセントに分配するようにしているので、各部屋の温水コンセントに任意の湯量を供給することができる。
【発明を実施するための最良の形態】
【００１８】
以下、本発明の実施例を図面に従って詳細に説明する。ただし、本発明は以下の実施例に限定されるものでないことは勿論である。
【実施例１】
【００１９】
図１は、除湿システム１の概略図である。除湿システム１は、燃料を供給されて電力と温熱を出力する熱電発生装置２と、熱電発生装置２で発生した排熱を利用して水を暖めて各部屋（本実施例１では、部屋Ａ、Ｂ、Ｃ）に設置された温水コンセント１５に温水を供給する温水供給部３と、温水コンセント１５に接続して温水を利用する除湿装置１１とを備えている。つまり、除湿システム１は、コージェネレーション・システムの排熱を利用して室内を除湿するシステムである。
【００２０】
熱電発生装置２は、特に図示しないが、エンジンやガスタービン等の熱機関と発電機を組み合わせたものや、燃料電池を利用したものである。
【００２１】
温水供給部３は、温水が循環する循環配管２１（循環経路）と、循環配管２１に温水を循環させるためのポンプ２２と、熱電発生装置２からの排熱を利用して循環配管２１内を流れる湯水を加熱するための熱交換器２３（加熱手段）とを備えている。また、温水供給部３は、循環配管２１を循環する温水を各部屋に供給するための温水往き配管２４ａ（温水供給経路）及び各部屋から戻る温水を循環配管２１内に戻すための温水戻り配管２５ａ（温水回収経路）を備えている。また、温水往き配管２４ａ及び温水戻り配管２５ａの端末部分には、それぞれ温水分配機２６、２７が設けられており、温水分配機２６から分岐した各分岐往き配管２４ｂ（温水供給経路）と温水分配機２７で分岐した各分岐戻り配管２５ｂ（温水回収経路）とは、それぞれ温水コンセント１５に接続されている。これによって、温水分配機２６、２７は、温水往き配管２４ａから各分岐往き配管２４ｂへ流れる温水の分配及び各分岐戻り配管２５ｂから温水戻り配管２５ａへ戻る温水の合流を効率よくおこなっている。
【００２２】
図２（ａ）に温水コンセント１５の正面図を示す。また、図２（ｂ）に温水コンセント１５の断面図を示す。温水コンセント１５は、図２（ｂ）に示すように各部屋の壁３１などに取り付けて設置されており、温水コンセント１５には屋外側から分岐往き配管２４ｂ及び分岐戻り配管２５ｂが接続されている。また、図２（ａ）に示すように、温水コンセント１５の分岐往き配管２４ｂ及び分岐戻り配管２５ｂが接続された位置に対応する室内側の面には、それぞれ温水往き口３２及び温水戻り口３３が開口している。さらに、温水コンセント１５の室内側の面には、排気口３４が開口している。排気口３４は、壁３１に設けられた孔に挿通されたパイプ３５に接続して室内と屋外を接続している。また、温水コンセント１５の屋外側には、フード３６が設けられている。なお、フード３６の代わりに排気用ダクトなどをパイプ３５に接続できるようにしておいても良い。また、温水往き口３２及び温水戻り口３３には、専用のプラグを介して温水用ホースを接続するための温水用コンセントが設けられており、温水用ホースが接続されていないときには、温水往き口３２及び温水戻り口３３は温水用コンセントが封止されて温水が漏れないようになっている。また、排気口３４には、専用のプラグを介して排気用ホースを接続するための排気用コンセントが設けられている。排気用ホースが接続されていないときには、排気口３４は蓋で覆うようにしてもよい。
【００２３】
図３に温水コンセント１５に接続された除湿装置１１の断面図を示す。除湿装置１１は、第１の吸気口４３から除湿装置１１内に室内の空気を吸い込んで吐出口４５から室内に吹き出す除湿風路４１と、第２の吸気口４４から除湿装置１１内に室内の空気を吸い込んで排湿口４６から屋外に排気するための再生風路４２の二つの風路で構成されている。
【００２４】
除湿風路４１には、除湿ロータ４７の一部と吸気ファン４８が設置されている。吸気ファン４８は、特に図示しないが吸気ファンモータを動作させてファンを回転させることにより、強制的に第１の吸気口４３から室内の空気を除湿装置１１内に吸気し、除湿ロータ４７を通過して吐出口４５から再び室内に空気を吹き出すことができる。したがって、除湿風路４１を通る空気は、除湿ロータ４７を通過する際に湿気を吸着され、乾燥した空気となって吐出口４５から室内に吹き出される。なお、図３において説明の都合上、除湿装置１１の下面に吐出口４５を設けたが、吐出口４５は第１の吸気口４３と同じ側の面内や除湿装置１１の上面などに開口させてもよい。
【００２５】
また、再生風路４２には、空気の流れの上流側から順番に温水熱交換器５０（再生用熱交換器）、除湿ロータ４７の一部、再生用ファン５１が設けられている。再生用ファン５１は、特に図示しないが再生用ファンモータを動作させてファンを回転させることにより、強制的に第２の吸気口４４から室内の空気を除湿装置１１内に吸気し、温水熱交換器５０及び除湿ロータ４７を通過させて排湿口４６側に送風することができるものである。したがって、第２の吸気口４４から除湿装置１１内に吸い込まれた室内の空気は、温水熱交換器５０で加熱されて相対的に湿度の低い空気となり、除湿ロータ４７に流れ込む。除湿ロータ４７に流れ込んだ高温低湿の空気は、除湿ロータ４７に吸着した湿気を蒸発させて除湿ロータ４７の除湿能力を再生させる。また、除湿ロータ４７から蒸発した湿気は、空気とともに排湿口４６から除湿装置１１外に放出される。また、排湿口４６には温水コンセント１５に設けた排気口３４に接続するための接続プラグ５２を有する排気用ホース５３が取り付けられており、排気用ホース５３と排気口３４は接続プラグ５２を介して接続されている。しかして、排気口３４から除湿装置１１外に放出される湿気を含んだ空気は、排気用ホース５３及び温水コンセント１５を通って屋外に放出される。
【００２６】
温水熱交換器５０は、温水供給部３から供給される温水の熱を利用して、そこを通過する空気を加熱するものである。温水熱交換器５０の温水流入側及び温水流出側には、それぞれ温水コンセント１５の温水往き口３２及び温水戻り口３３に接続するための接続プラグ５４を有する温水用ホース５５（第１の接続ホース、第２の接続ホース）が取り付けられており、各温水用ホース５５は、接続プラグ５４を介してそれぞれ温水往き口３２及び温水戻り口３３に接続されている。しかして、温水コンセント１５の温水往き口３２に接続された温水用ホース５５から温水熱交換器５０に温水が供給され、温水戻り口３３に接続された温水用ホース５５から温水戻り配管２５を通って循環配管２１に戻される。なお、図３において、説明の都合上、温水往き口３２及び温水戻り口３３を上下に並べて配置したが、図２（ａ）のように横に並べて配置しても差し支えない。
【００２７】
図４に除湿ロータ４７の正面図を示す。除湿ロータ４７は、平坦な基板の表面上に波形に連続して屈曲した部材を接着して構成された矩形長尺状の除湿部材６１を円筒状に巻き込んだものであり、かつその平坦な基板及び波形部材の表面には湿気を吸着する機能を持つ固体吸着剤が付着されている。特に吸着剤に用いる材料に制限はないが、湿気を吸着する性質を持つ素材であればよく、例えば、シリカゲル、ゼオライト、活性炭などのように通常水分吸着用途に用いられるものを任意に使用できる。さらに、除湿ロータ４７の円筒形の円周部には、その円周に沿ってギア６２が形成されている。
【００２８】
除湿ロータ４７の除湿部材６１は、波形に連続して屈曲した部材を巻き込んだ形状であることから、その円形の端面には波形に連続して屈曲した部材と平坦な部材との隙間によって形成された無数の空気通過孔６３が端面全体に形成されている。なお、図４では、省略して一部の空気通過孔６３のみを図示している。また、各空気通過孔６３の和は、十分な断面積を有し、且つその長さ方向（円筒形の厚さ方向）にはそこを通過する空気との大きな接触面積を有する。従って、湿気を含んだ空気は除湿ロータ４７の空気通過孔６３中をほとんど圧損なしに通過することができ、同時に、除湿ロータ４７の表面部分に付着された吸着剤により湿気が吸着除去される。また、空気通過孔６３の形状は、上記形状に限らず空気が通過するときの接触面積が大きく、圧損が発生しにくい構造であればよく、例えば、六角形のハニカム構造に形成した成型品等でもよい。
【００２９】
ギヤードモーター６４には、駆動ギア６５が取り付けられており、除湿部材６１の外周面に形成されたギア６２と噛み合うような位置に調整されている。したがって、ギヤードモーター６４の回転駆動により、除湿ロータ４７も円形面の中心軸６６を中心に円形面内で連続的或いは断続的に回転するようになっている。
【００３０】
以上説明したように、分岐往き配管２４ｂ及び分岐戻り配管２５ｂの各部屋側の端部に接続された温水コンセント１５に排気口３４を設けて室内と屋外で空気のやりとりを可能にしたので、除湿装置内に除湿した湿気が貯まることなく、屋外に排気することができ、除湿した湿気の凝縮水を処理する手間が省ける。また、温水コンセント１５から除湿装置１１の取り外しが非常に容易であるので、取り外しが簡単なユニットとして供給することができ、乾燥した季節、例えば冬場などにおいては、温水コンセント１５から除湿装置１１を取り外して倉庫などに収納してしまうことができ、その分、室内を有効に利用することができる。また、除湿装置１１の代わりに温水の熱を利用する加湿装置や温水暖房装置などを取り付けることにより、その季節に適した装置で排熱を有効に利用することもできる。
【００３１】
なお、除湿時に除湿ロータ４７の再生を常に行う必要はなく、一定時間以上の除湿動作を行った場合に所定時間だけ温水熱交換器５０に温水を流して除湿ロータ４７の再生を行うようにしてもよい。
【００３２】
なお、本実施例１の除湿システム１は、熱電発生装置２からの排熱を利用して暖めた温水を利用するコージェネレーション・システムを例に説明したが、コージェネレーション・システムに限らず、温水を供給する装置、例えば、風呂の給湯装置などと組み合わせても良い。
【実施例２】
【００３３】
本実施例２は、温水供給部３において、除湿ロータの再生に利用する空気を屋外から取り込んで、再生後の湿気を含んだ空気を屋外に放出する除湿装置を取り付けたものである。なお、本実施例２は、除湿装置及び除湿装置を取り付けるための温水コンセントの構成が実施例１と異なるだけであるので、この点を中心に説明する。
【００３４】
図５は、本実施例２における除湿装置１２を温水コンセント１６に接続した状態を示す断面図である。また、図６（ａ）は、温水コンセント１６の部屋側からみた正面図である。温水コンセント１６は、実施例１に示した温水コンセント１５と同様に温水往き口３２、温水戻り口３３及び排気口３４が設けられるとともに、さらに加えて、外気導入口７２が設けられている。外気導入口７２は、図５に示すように、壁３１に設けられた孔に挿通したパイプ７４と接続され、室内と屋外を接続している。なお、排気口３４と外気導入口７２は、図６（ｂ）に示すように隣接して配置しても良い。
【００３５】
除湿装置１２は、第１の吸気口４３から室内の空気を除湿装置１２内に吸い込んで吐出口４５から室内に吹き出す除湿風路４１と、第３の吸気口７１から除湿装置１２内に屋外の空気を吸い込んで排湿口４６から屋外に排気するための再生風路７０の二つの風路で構成されている。
【００３６】
再生風路７０には、空気の流れの上流側から順番に再生用ファン５１、温水熱交換器５０、除湿ロータ４７の一部が設けられている。第３の吸気口７１から除湿装置１２内に吸い込まれた空気は、温水熱交換器５０で加熱されて相対的に湿度の低い空気となり、除湿ロータ４７に流れ込む。除湿ロータ４７に流れ込んだ高温低湿の空気は、除湿ロータ４７に吸着した湿気を蒸発させて除湿ロータ４７の除湿能力を再生させる。また、除湿ロータ４７から蒸発した湿気は、空気とともに排湿口４６から除湿装置１２外に放出される。また、第３の吸気口７１には温水コンセント１６に設けた外気導入口７２に接続するための接続プラグ５２を有する外気導入用ホース７３が取り付けられており、外気導入用ホース７３と外気導入口７２は接続プラグ５２を介して接続されている。したがって、第３の吸気口７１には、温水コンセント１６及び外気導入用ホース７３を通って屋外の空気が供給される。さらに、排湿口４６には温水コンセント１６に設けた排気口３４に接続するための接続プラグ５２を有する排気用ホース５３が取り付けられており、排気用ホース５３と排気口３４は接続プラグ５２を介して接続されている。したがって、除湿装置１２の排湿口４６から放出される空気は、排気用ホース５３及び温水コンセント１６を通って屋外に放出される。なお、外気導入用ホース７３に取り付けた接続プラグ５２と、排気用ホース５３に取り付けた接続プラグ５２は、それぞれ独立したものであっても、二つの接続プラグ５２が一体となったものであってもかまわない。除湿風路４１については、実施例１で示した除湿装置１１と同じ構成であるので説明を省略する。
【００３７】
以上説明したように、温水コンセント１６は温水往き口３２、温水戻り口３３及び排気口３４に加えて外気導入口７２を設けているので、除湿装置１２のように除湿装置１２への屋外の空気の取り込みと、除湿装置１２から屋外への空気の排気をおこなうような装置でも簡単に取り付けることができる。
【実施例３】
【００３８】
上記実施例１又は２の除湿システムにおいて、温水往き口及び温水戻り口のみを有する従来からの温水コンセントがすでに設置されている場合には、別途、除湿装置からの排出される湿った空気を屋外に放出するための配管を設置する工事、或いは排気口などを有する温水コンセントに取り替える工事をする手間がかかる。また、除湿装置を壁に直接取付けて固定する形態の場合には、別途設けた排気用の配管などと除湿装置が取り外せず、除湿装置が不要な時期にも室内に設置しなければならず、室内を有効に利用できないなどの問題もあった。本実施例３は、このような問題を解決するために提案されたものである。なお、本実施例３は、除湿装置及び除湿装置を取り付けるための温水コンセントの構成が実施例１と異なるだけであるので、この点を中心に説明する。
【００３９】
実施例３は、上記のような問題を解決するために提案されたものである。図７は、本実施例３における除湿装置１３を温水コンセント１７に接続した状態を示す断面図である。温水コンセント１７は、分岐往き配管２４ｂと接続されて温水コンセント１７に接続される除湿装置１３に温水を供給するための温水往き口３２と、除湿装置１７と接続されて分岐戻り配管２５ｂ側に温水を戻すための温水戻り口３３が設けられている。一方、温水コンセント１５、１６のように排気口３４や外気導入口７２は設けられていない。
【００４０】
除湿装置１３は、第１の吸気口４３から除湿装置１１内に室内の空気を吸い込んで吐出口４５から室内に吹き出す除湿風路８０と、除湿装置１３内で空気を循環させる循環再生風路８１の二つの風路で構成されている。
【００４１】
除湿風路８０には、空気の流れの上流側から順に熱交換素子８２の第１通路８３、除湿ロータ４７の一部、吸気ファン４８が設置されている。吸気ファン４８を動作することにより、強制的に第１の吸気口４３から室内の空気を除湿装置１３内に吸気し、熱交換素子８２及び除湿ロータ４７を通過して吐出口４５から再び室内に空気を吹き出すことができる。したがって、除湿風路８０を通る空気は、除湿ロータ４７を通過する際に湿気を吸着され、乾燥した空気となって吐出口４５から室内に吹き出される。一方、循環再生風路８１には、空気の流れる方向に向かって順番に温水熱交換器５０、除湿ロータ４７の一部、熱交換素子８２の第２通路８４、貯水部８５、循環ファン８６が設置されている。循環ファン８６は、特に図示しないが循環ファンモータを動作させてファンを回転させることにより、強制的に循環再生風路８１内の空気を循環させることができる。しかして、循環再生風路８１内を循環する空気は、温水熱交換器５０を通過する際に加熱されて相対的に湿度の低い空気となり、除湿ロータ４７に流れ込む。除湿ロータ４７に流れ込んだ高温低湿の空気は、除湿ロータ４７に吸着した湿気を蒸発させて除湿ロータ４７の除湿能力を再生させる。また、除湿ロータ４７を通過した湿気を含む空気は、熱交換素子８２の第２通路８４を通過する際に熱交換素子８２の第１通路８３を通過する空気に熱を受け渡すことにより、冷却される。これにより、第２通路８４を通過する空気の湿度が相対的に上昇し、空気中の湿気の一部が第２通路８４の壁面に凝縮水として結露する。なお、熱交換素子８２は貯水部８５側に凝縮水が流れやすいように配置されており、貯水部８５に凝縮水が貯まるようになっている。また、熱交換素子８２の第２通路８４を通過した空気は、貯水部８５を通過して再び温水熱交換器５０側に戻され、加熱、除湿ロータ４７の再生、冷却、凝縮水発生の各プロセスを順に繰り返す。また、貯水部８５は、図８に示すように着脱自在に構成されており、貯水部８５に貯まった凝縮水を捨てることができるようになっている。
【００４２】
図９に熱交換素子８２の概略斜視図を示す。熱交換素子８２は、図９に示すように、ある方向（例えば、図８、９のα方向）から熱交換素子８２内に流れ込む空気とある方向と直行する方向（例えば、図８、９のβ方向）から熱交換素子８２内に流れ込む空気とが、混ざり合わずに通過できるように構成されたものである。具体的には、平坦な基板９１（以下、平板部材９１という）の表面上に波形に連続して屈曲した部材９２（以下、屈曲部材９２という。）を交互に複数枚重ねて構成されている。なお、平板部材９１及び屈曲部材９２は、湿気を吸湿しにくく、熱を伝えやすい材料を用いることが望ましい。各屈曲部材９２は、積層方向に隣り合う一対の屈曲部材９２の稜線方向が互いに直行するように配置されている。また、平板部材９１に挟まれた屈曲部材９２の部分には、第１通路８３と第２通路８４が形成されており、この第１通路８３と第２通路８４は、積層方向に交互に形成されている。さらに、第１通路８３と第２通路８４は、それぞれ屈曲部材９２の稜線方向に対向する熱交換素子８２の一対の側面に開口しており、第１通路８３と第２通路８４は互いに直行する向きに形成されている。つまり、第１通路８３と第２通路８４を通過する空気は、互いに混ざり合うことなく、熱交換のみを行うことができる。したがって、除湿装置１３において、除湿風路８０を流れる空気が第１通路８３を通過し、循環再生風路８１を流れる空気が第２通路８４を通過するように熱交換素子８２を配置すれば、除湿風路８０を流れる空気と循環再生風路８１を流れる空気が混ざり合わず、第２通路８４を通過する温かい空気（温水熱交換器５０で加熱されている）は、第１通路８３を通過する空気に熱を受け渡して冷却される。つまり、第２通路８４を通過する空気は、冷却されて除湿ロータ４７から蒸発した湿気の一部が凝縮して第２通路８４の壁面に結露する。
【００４３】
以上説明したように、温水往き口３２及び温水戻り口３３のみを有する従来からの温水コンセント１７がすでに設置されている場合においても、除湿装置１３であれば、温水コンセント１７に接続して室内を除湿することができ、かつ容易に着脱できるので、除湿したい部屋に持ち運んで使用することができる。また、従来からの温水コンセント１７は、床下暖房などの暖房装置に温水を供給するために設けていることが多く、コージェネレーション・システムなどに組み込んだ場合、床下暖房を利用しない夏季には排熱を有効に利用できない。しかしながら、除湿装置１３を取り付けることによって、排熱を有効に利用できる。一方、冬場などの乾燥した季節には除湿装置を倉庫に片づけるなどして除湿装置を設置していた空間を有効に利用することができる。
【図面の簡単な説明】
【００４４】
【図１】図１は、実施例１の除湿システムの概略図である。
【図２】図２（ａ）は、温水コンセントの正面図である。図２（ｂ）は、温水コンセントの断面図である。
【図３】図３は、除湿装置を図２の温水コンセントに接続した状態を示す断面図である。
【図４】図４は、除湿ロータの正面図である。
【図５】図５は、実施例２の除湿装置を温水コンセントに接続した状態を示す断面図である。
【図６】図６は、図５で用いた温水コンセントの正面図である。
【図７】図７は、実施例３の除湿装置を温水コンセントに接続した状態を示す断面図である。
【図８】図８は、図７に示した除湿装置から貯水部を取り外した状態を示す断面図である。
【図９】図９は、図７に示した除湿装置に用いた熱交換素子の概略図である。
【符号の説明】
【００４５】
１      除湿システム
２      熱電発生装置
３      温水供給部
１１〜１３      除湿装置
１５〜１７      温水コンセント
２１      循環配管
２２      ポンプ
２３      熱交換器
２４ａ      温水往き配管
２４ｂ      分岐往き配管
２５ａ      温水戻り配管
２５ｂ      分岐戻り配管
２６、２７      温水分配機
３１      壁
３２      温水往き口
３３      温水戻り口
３４      排気口
３６      フード
４１      除湿風路
４２      再生風路
４３      第１の吸気口
４４      第２の吸気口
４５      吐出口
４６      排湿口
４７      除湿ロータ
４８      吸気ファン
５０      温水熱交換器
５１      再生用ファン
５２、５４      接続プラグ
５３      排気用ホース
５５      温水用ホース
【図１】
2007054765.tif 000003
【図２】
2007054765.tif 000004
【図３】
2007054765.tif 000005
【図４】
2007054765.tif 000006
【図５】
2007054765.tif 000007
【図６】
2007054765.tif 000008
【図７】
2007054765.tif 000009
【図８】
2007054765.tif 000010
【図９】
2007054765.tif 000011